(57)【要約】【課題】従来よりも高い断熱性を備える保冷ショーケース用ガラスドア、及び保冷ショーケースを提供する。【解決手段】保冷ショーケースの庫外側に位置する第１のガラス板と、前記第１のガラス板と所定の空間を隔てて対向しかつ庫内側に位置する第２のガラス板と、前記第１及び第２のガラス板の周縁部を、スペーサーを介して保持して一体構造を構成する複層ガラスの周縁にドア框フレームが環装されてなる保冷ショーケース用ガラスドアであって、前記ドア框フレームは、前記第２のガラスの庫内側面と結合する庫内側枠部と、前記複層ガラスの周縁部と結合するガラス端面カバー部とを有し、前記ガラス端面カバー部は、前記第１のガラス板の庫外側面と結合する部位を有しておらず、かつ、中空部を有していないことを特徴とする、保冷ショーケース用ガラスドア。【選択図】図１
2017142051.tif 000002
【特許請求の範囲】
【請求項１】
保冷ショーケースの庫外側に位置する第１のガラス板と、前記第１のガラス板と所定の空間を隔てて対向しかつ庫内側に位置する第２のガラス板と、前記第１及び第２のガラス板の周縁部を、スペーサーを介して保持して一体構造を構成する複層ガラスの周縁にドア框フレームが環装されてなる保冷ショーケース用ガラスドアであって、
前記ドア框フレームは、前記第２のガラス板の庫内側面と結合する庫内側枠部と、前記複層ガラスの周縁部と結合するガラス端面カバー部とを有し、
前記ガラス端面カバー部は、前記第１のガラス板の庫外側面と結合する部位を有しておらず、かつ、中空部を有していないことを特徴とする、保冷ショーケース用ガラスドア。
【請求項２】
前記第１のガラス板と前記第２のガラス板の間に、第３のガラス板を備える、請求項１に記載の保冷ショーケース用ガラスドア。
【請求項３】
前記庫内側枠部の、庫内側かつ前記第２のガラス板の庫内側面に対して略垂直な面に発光素子を備える、請求項１または２に記載の保冷ショーケース用ガラスドア。
【請求項４】
前記第１のガラス板は、前記第２のガラス板よりも主面の面積が大きい、請求項１〜３のいずれか１項に記載の保冷ショーケース用ガラスドア。
【請求項５】
前記ガラス端面カバー部の庫外側端部に樹脂部材を備える、請求項１〜４のいずれか１項に記載の保冷ショーケース用ガラスドア。
【請求項６】
請求項１〜５のいずれか１項に記載の保冷ショーケース用ガラスドアを備えた保冷ショーケース。
【発明の詳細な説明】
【技術分野】
【０００１】
本発明は、保冷ショーケース用ガラスドア、及び保冷ショーケースに関する。
【背景技術】
【０００２】
従来、コンビニエンス・ストア等においては、保冷ショーケース内に各種商品（飲料品、生鮮食品、冷凍食品等）を保管し販売している。保冷ショーケースは正面に枠体とガラス板で構成されたドアを備え、枠体の正面にはハンドルが取り付けられている。このハンドルをユーザが開閉操作することで、ドアを前後に開閉することができる。なお、保冷ショーケース内には、多くの商品を保管する必要があるため、保冷ショーケースのドアには高い断熱性が求められている。
【０００３】
保冷ショーケース用のドアの断熱性を高めるため、複数枚の透明板が周縁部においてスペーサーを間に挟んで互いに結合されることで複層透明板が形成され、この複層透明板が枠体内に嵌着されたものにおいて、前記スペーサーと前記透明板との間に、熱伝導性の低い材質の介装体が装着されている保冷ショーケース用のドア等が知られている（例えば、特許文献１参照）。
【先行技術文献】
【特許文献】
【０００４】
【特許文献１】特開２００４−３１６９４５号公報
【発明の概要】
【発明が解決しようとする課題】
【０００５】
しかしながら、特許文献１の冷却貯蔵庫の扉には、スペーサーと前記透明板との間に、熱伝導性の低い材質の介装体が装着されているが、枠体を介して冷気が伝導してしまうという問題があった。
【０００６】
そこで本発明は、従来よりも簡便な構成で、かつ高い断熱性を備える保冷ショーケース用ガラスドア、及び保冷ショーケースを提供することを目的とする。
【課題を解決するための手段】
【０００７】
上記目的を達成するため、本発明に係る保冷ショーケース用ガラスドアは、保冷ショーケースの庫外側に位置する第１のガラス板と、前記第１のガラス板と所定の空間を隔てて対向しかつ庫内側に位置する第２のガラス板と、前記第１及び第２のガラス板の周縁部を、スペーサーを介して保持して一体構造を構成する複層ガラスの周縁にドア框フレームが環装されてなる保冷ショーケース用ガラスドアであって、前記ドア框フレームは、前記第２のガラスの庫内側面と結合する庫内側枠部と、前記複層ガラスの周縁部と結合するガラス端面カバー部とを有し、前記ガラス端面カバー部は、前記第１のガラス板の庫外側面と結合する部位を有しておらず、かつ、中空部を有していないことを特徴とする。
【発明の効果】
【０００８】
本発明によれば、従来よりも保冷ショーケース用ガラスドアのドア框フレームを介した冷気の伝導を抑制でき、より高い断熱性を備える保冷ショーケース用ガラスドア、及び保冷ショーケースを提供することができる。
【図面の簡単な説明】
【０００９】
【図１】本発明の第１の実施形態に係る保冷ショーケース用ガラスドアの一例を示した側断面図である。
【図２】従来の保冷ショーケース用ガラスドアの一例を示した側断面図である。
【図３】本発明の第２の実施形態に係る保冷ショーケース用ガラスドアの一例を示した側断面図である。
【図４】本発明の第３の実施形態に係る保冷ショーケース用ガラスドアの一例を示した側断面図である。
【図５】本発明の第４の実施形態に係る保冷ショーケース用ガラスドアの一例を示した側断面図である。
【図６】本発明の第５の実施形態に係る保冷ショーケース用ガラスドアの一例を示した側断面図である。
【発明を実施するための形態】
【００１０】
以下、図面を参照して、本発明の実施形態について説明する。
【００１１】
〔第１の実施形態〕
図１は、本発明の第１の実施形態に係る保冷ショーケース用ガラスドアの一例を示した側断面図である。
【００１２】
保冷ショーケース用ガラスドア１００は、保冷ショーケースの庫外側に位置する第１のガラス板１１と、第１のガラス板１１と所定の空間を隔てて対向しかつ庫内側に位置する第２のガラス板１２とを有する。また、第１、第２のガラス板の周縁部を、スペーサー１４を介して保持することで一体的に構成される複層ガラスの周縁に、ドア框フレーム１６が環装されている。
【００１３】
第１、第２のガラス板１１、１２の厚さは特に限定されないが、１枚の場合でも窓として使用実績のある１〜５ｍｍが好ましい。必要に応じて、強化ガラス、合わせガラスを１枚もしくは２枚に適用してもよい。強化ガラスとしては、風冷強化法や化学強化法により得られる強化ガラスを用いることができる。
【００１４】
なお、本発明では、ガラスは無機ガラスと有機ガラスの両方を含むものとする。無機ガラスとしては、ソーダライムガラス、ホウ珪酸ガラス、無アルカリガラス、石英ガラス等が挙げられる。有機ガラスとは、アクリル、ポリカーボネートなどに代表される透明樹脂を示す。
【００１５】
第１のガラス板１１の庫内側面、及び／または第２のガラス板１２の庫外側面には、低放射膜（Ｌｏｗ−Ｅ膜）が設けられていてもよい。低放射膜は、銀系の低放射膜であってもよいし、非銀系の低放射膜であってもよい。
【００１６】
低放射膜が銀系の低放射膜の場合は、薄膜の積層膜からなり、銀を主成分とする膜を、亜鉛を主成分とする酸化物薄膜で挟んだ積層膜（以下、亜鉛酸化物／銀／亜鉛酸化物と記載する）であってもよい。放射率を下げるためには、前記積層体を２重にした積層膜（亜鉛酸化物／銀／亜鉛酸化物／銀／亜鉛酸化物）であってもよい。この積層膜では透過率が高く、保冷ショーケースの内部を目視しやすい。
【００１７】
なお、低放射膜としては、特公平８−３２４３６号公報に開示されている透明導電性の膜や、特開平６−１４４８７４号公報に開示されている熱線反射膜を適用できる。ここで、熱線反射膜は、導電性酸化物の超微粒子と、酸化ルテニウムと、さらに、酸化珪素、酸化チタン、酸化ジルコニウム、及び酸化アルミニウムの中から選ばれる少なくとも１種の金属酸化物とを主成分とし、導電性酸化物の超微粒子として、アンチモン含有酸化錫微粒子または／かつ錫含有酸化インジウム微粒子が含まれるものであってもよい。
【００１８】
第２のガラス板１２の庫内側面には、ガラス板を通電加熱する機能を有する加熱手段が設けられていてもよい。加熱手段は、透明導電膜でもよいし、ガラス板の表面に発熱用のワイヤーを設置したものや、発熱用の銀系のプリントを設置したものや、導電性フィルムを貼合したものでもよい。この中でも保冷ショーケースの内部の目視しやすさの観点から透明導電膜を用いたものが好ましく、透明導電膜の材料としては、アンチモンドープされた酸化スズ、ビスマスドープされた酸化スズ、またはフッ素ドープされた酸化スズがよく、フッ素ドープの酸化スズがコスト的にも安くより好ましい。
【００１９】
第２のガラス板１２の庫内側面には、防曇層が設けられていてもよい。防曇層は、ガラス表面への結露や結氷を防ぐ機能を備える。防曇層は、防曇機能を有する固形分を溶剤に溶解させて得た薬液をガラス板（第２のガラス板１２）に塗布し、溶剤を揮発・乾燥させることで第２のガラス板１２の庫内側面に防曇層を形成してもよい。なお、防曇層を透明の樹脂フィルム上に形成することで得られた防曇性樹脂フィルムを第２のガラス板１２の庫内側面に貼合してもよい。
【００２０】
防曇層は、空気中の水分や膜表面に吸着した水分を膜中に吸収することで膜表面の水滴形成を阻害し、防曇機能を発揮する吸水性樹脂膜であってもよいし、膜表面に付着した水の接触角を１０°以下程度まで低下せしめる水膜とし、水滴の形成を阻害する親水性膜のどちらであってもよい。親水性膜はその表面に吸着した水が膜状となる。吸水性樹脂膜としては、例えばポリアクリル酸エステルとエポキシをアルコールで溶解し、これをガラス表面に塗布し、加熱乾燥して形成する方法がある。
【００２１】
防曇層は、完全に透明であることが視認性の観点から好ましいが、視認性を損なわない程度に着色されていても構わない。さらに、防曇層を防曇性樹脂フィルムとして第２のガラス板１２の庫内側面に貼付する場合は、フィルムをガラスに密着させて固定するために接着剤を用いることもできる。接着剤の種類は特に限定されるものではないが、視認性の観点から、完全に透明であることが好ましい。
【００２２】
なお、防曇層としては、特開２００５−１１９９２０号公報等に開示されている公知の親水膜を適用できる。
【００２３】
第１のガラス板１１と第２のガラス板１２との間の空間は、空間を満たす気体によって断熱効果は異なるが、保冷ショーケースのドアとしての収まりの点から、厚さが８〜２０ｍｍであることが好ましい。ここで、空間の厚さとは、第１のガラス板１１の庫内側面と第２のガラス板１２の庫外側面との最短距離を意味する。
【００２４】
第１のガラス板１１と第２のガラス板１２との間の空間には、乾燥空気や、断熱ガスが充填されていてもよい。断熱ガスとは、熱伝導率が空気より小さいガスのことを意味し、希ガスであるクリプトン（Ｋｒ）ガス、アルゴン（Ａｒ）ガスが好ましい。断熱ガス中の希ガスの濃度は高いほど好ましい。熱伝導率が空気より小さくなれば、空気と希ガスの混合ガスでもよい。
【００２５】
断熱ガスがクリプトンの場合、空間の厚さは８〜１２ｍｍであることが好ましく、断熱ガスがアルゴンの場合、空間の厚さは１４〜２０ｍｍであることが好ましい。
【００２６】
スペーサー１４は、ガラス板とガラス板の間隔を保持する機能、ガラス板を接着する機能、空気層内部を密閉する機能を持つ。ガラス板とガラス板の間隔を保持する機能を持つ部材の主な構成物質が樹脂であることが好ましい。樹脂が主な構成物質とは、樹脂の中に金属の部品が一部導入してあってもよいことを意味する。
【００２７】
ドア框フレーム１６は、マグネットガスケット２２を備えていてもよい。マグネットガスケット２２は、柔軟な本体を有し、保冷ショーケース用ガラスドア１００を閉じたときに、密封性を保つとともに、マグネットの吸引力に抗してガラスドア１００の開閉を可能とするためのシール部材である。ガスケット受け面２３は、磁性体からなる。したがって、保冷ショーケース用ガラスドア１００を閉じたときに、マグネットガスケット２２が磁力によりガスケット受け面２３と吸引するため、保冷ショーケース用ガラスドア１００の密封性が高い。
【００２８】
フレーム２１は、保冷ショーケース用ガラスドア１００に対するフレームとしての機能を果たすための枠体であり、ガスケット受け面２３でマグネットガスケット２２を受けるとともに、保冷ショーケース用ガラスドア１００の庫内側の側面及び下端側の端部を囲むように設けられる。
【００２９】
ドア框フレーム１６は、庫内側枠部１６１とガラス端面カバー部１６２とを有する。ドア框フレーム１６は、庫内側枠部１６１とガラス端面カバー部１６２とを一体成形してもよいし、庫内側枠部１６１とガラス端面カバー部１６２とを、別々に成形した後に組み合わせて形成してもよい。
【００３０】
庫内側枠部１６１は、第２のガラス１２の庫内側面と結合する部位であって、庫内側枠部１６１の庫内側面には、マグネットガスケット２２が設けられる。
【００３１】
ここで、「結合」とは直接接していることだけではなく、接着層や緩衝層などを介して接していることも含む。
【００３２】
庫内側枠部１６１は強度の観点から、アルミやスチール等の金属材料で形成されてもよい。庫内側枠部１６１は、押し出し成形により製造されてもよいが、その他の方法で製造されてもよい。庫内側枠部１６１は中空部を有していてもよい。庫内側枠部１６１が中空部を有している場合は、中空部に発泡ウレタン樹脂等からなる断熱材や発泡スチロール、真空断熱材等が充填されていてもよい。
【００３３】
ガラス端面カバー部１６２は、第１のガラス板１１と第２のガラス板１２とスペーサー１４とからなる複層ガラスの周縁部と結合する部位であって、第１のガラス板１１の庫外側面と結合する部位を有していない。さらに、ガラス端面カバー部１６２は中空部を有していない。
【００３４】
ガラス端面カバー部１６２は強度の観点から、アルミやスチール等の金属材料で形成されてもよい。ガラス端面カバー部１６２は、押し出し成形により製造されてもよいが、その他の方法で製造されてもよい。ガラス端面カバー部１６２の厚さ（第１のガラス板１１及び第２のガラス板１２の主面方向の長さ）は、庫内側枠部１６１の肉厚と同等の厚さであることが好ましいが、ガラス端面カバー部１６２が第１のガラス板１１と第２のガラス板１２とスペーサー１４とからなる複層ガラスの重量を支えられる厚さであれば、庫内側枠部１６１の肉厚と同等の厚さでなくてもよい。
【００３５】
ガラス端面カバー部１６２は、第１のガラス板１１の庫外側面と結合する部位を有しておらず、かつ、中空部を有していない形状であるため、ガラス端面カバー部１６２の庫外側に露出する端面が極めて小さくてすむ。
【００３６】
図２は、従来の保冷ショーケース用ガラスドア２００の一例を示した側断面図である。従来の保冷ショーケース用ガラスドア２００のドア框フレーム２６は中空部を有し、第１のガラス板の庫外側面と結合する部位を有する。さらに、ドア框フレーム２６は、第１のガラス板１１と第２のガラス板１２とスペーサー１４とからなる複層ガラスの周縁部と結合する部位と、第１のガラス板１１と第２のガラス板１２とスペーサー１４とからなる複層ガラスの周縁部と結合する部位と中空部を介して対向する部位と、ドア框フレーム２６の庫外側に位置する部位とを有するため、ドア框フレーム２６の中空部に断熱材を充填したとしても、第１のガラス板１１と第２のガラス板１２とスペーサー１４とからなる複層ガラスの周縁部と結合する部位や、第１のガラス板１１と第２のガラス板１２とスペーサー１４とからなる複層ガラスの周縁部と結合する部位と中空部を介して対向する部位を介して保冷ショーケース内の冷気が第１のガラス板の庫外側面と結合する部位や、ドア框フレーム２６の庫外側に位置する部位に伝導してしまうため、保冷ショーケースの断熱性を損なうおそれがある。さらに、ドア框フレーム２６の庫外側面に露出する面積が大きいため、ドア框フレーム２６の庫外側面に結露等が発生してしまうおそれがある。
【００３７】
しかし、図１に示した第１の実施形態に係る保冷ショーケース用ガラスドア１００においては、ドア框フレーム１６が、上述したように第２のガラス１２の庫内側面と結合する庫内側枠部１６１と、第１のガラス板１１と第２のガラス板１２とスペーサー１４とからなる複層ガラスの周縁部と結合するガラス端面カバー部１６２とを有する。ガラス端面カバー部１６２は、第１のガラス板１１の庫外側面と結合する部位を有しておらず、かつ、中空部を有していないため、保冷ショーケースの冷気は庫内側枠部１６１を介してガラス端面カバー部１６２にしか伝導しない。さらに、ドア框フレーム１６が庫外側に露出する部位がガラス端面カバー部１６２の端面のみであるため、ドア框フレーム１６を介して保冷ショーケースの冷気が庫外側に放出することを抑制でき、保冷ショーケース用ガラスドア１００の断熱性をより高くすることができる。さらに、第１の実施形態に係る保冷ショーケース用ガラスドア１００において、ドア框フレーム１６が庫外側に露出する部位がガラス端面カバー部１６２の端面のみであるため、ドア框フレーム１６の庫外側には結露等が発生しない。
【００３８】
また、第１の実施形態に係る保冷ショーケース用ガラスドア１００は上述の構造であるため、保冷ショーケースのドア全体の寸法を大きくすることなく、庫内の商品の視認性を高めることが出来る。さらに、第１のガラス面の庫外側面と結合する部位がないため、第１のガラス板１１と第２のガラス板１２とスペーサー１４とからなる複層ガラスをより庫外側に配置することが可能となり、第２のガラス板１２の庫内側面と、保冷ショーケース内の商品との距離が広がるため、冷気対流効果が生まれ、保冷ショーケースの省エネにつながる。さらに、保冷ショーケースを正面から見たときに、金属製のドア框フレームが殆ど露出しないため美観に優れ、さらに、第１のガラス１１の庫外側面とガラス端面カバー部１６２の庫外側端面との間に段差が殆どないため、ゴミがたまることもなく、清掃もしやすい。
【００３９】
〔第２の実施形態〕
図３は、本発明の第２の実施形態に係る保冷ショーケース用ガラスドアの一例を示した側断面図である。図３において、保冷ショーケース用ガラスドア１０１は、第１のガラス板１１と第２のガラス板１２の間に、第３のガラス板１３を備えており、第２のガラス板１２と第３のガラス板１３の間隔を保持するスペーサー１５を備えている点で、第１の実施形態に係る保冷ショーケース用ガラスドア１００と異なっている。
【００４０】
図３に示す保冷ショーケース用ガラスドア１０１は、第１のガラス板１１と第２のガラス板１２との間に第３のガラス板１３を備える。更に、第１のガラス板１１と所定の空間を隔てて対向しかつ庫内側に位置する第３のガラス板１３と、第１、第３のガラス板の周縁部を、スペーサー１４を介して保持され、さらに第３のガラス板１３と所定の空間を隔てて対向しかつ庫内側に位置する第２のガラス板１２と、第２、第３のガラス板の周縁部を、スペーサー１５を介して保持されることで一体的に構成する３層ガラスを備えるため、より保冷ショーケース用ガラスドア１０１の断熱性を高めることが出来る。
【００４１】
なお、その他の構成要素については、第１の実施形態に係る保冷ショーケース用ガラスドア１００と同様であるので、対応する構成要素に同一の参照符号を付してその説明を省略する。
【００４２】
〔第３の実施形態〕
図４は、本発明の第３の実施形態に係る保冷ショーケース用ガラスドアの一例を示した側断面図である。図４において、保冷ショーケース用ガラスドア１０２は、庫内側枠部１６１の、庫内側かつ第２のガラス板１２の庫内側面に対して略垂直な面に発光素子１７を備える点で、第１の実施形態に係る保冷ショーケース用ガラスドア１００と異なっている。その他の構成要素については、第１の実施形態に係る保冷ショーケース用ガラスドア１００と同様であるので、対応する構成要素に同一の参照符号を付してその説明を省略する。
【００４３】
図４に示す保冷ショーケース用ガラスドア１０２は、庫内側枠部１６１の、庫内側かつ第２のガラス板１２の庫内側面に対して略垂直な面に発光素子１７を備えるため、より保冷ショーケース内の商品を視認しやすくなる。
【００４４】
〔第４の実施形態〕
図５は、本発明の第４の実施形態に係る保冷ショーケース用ガラスドアの一例を示した側断面図である。図５において、保冷ショーケース用ガラスドア１０３は、第１のガラス板１１の主面の面積が第２のガラス板１２よりも主面の面積が大きい点で、第１の実施形態に係る保冷ショーケース用ガラスドア１００と異なっている。その他の構成要素については、第１の実施形態に係る保冷ショーケース用ガラスドア１００と同様であるので、対応する構成要素に同一の参照符号を付してその説明を省略する。
【００４５】
図５に示す保冷ショーケース用ガラスドア１０３は、第１のガラス板１１の主面の面積が第２のガラス板１２よりも主面の面積が大きく、ガラス端面カバー部１６２の庫外側端面が露出しない構造になっているため、よりドア框フレーム１６を介して保冷ショーケースの冷気が庫外側に放出することを抑制でき、保冷ショーケース用ガラスドア１０３の断熱性をより高くすることができる。さらに、保冷ショーケース用ガラスドア１０３を正面から見たとき、ドア框フレーム１６が庫外側に露出する部位がないため、美観に優れる。
【００４６】
なお、図５では、第１のガラス板１１の端面が、ガラス端面カバー部１６２のスペーサー１４と結合する面と反対側の面と同一面になっている場合が例示されているが、第１のガラス板１１の端面は、ガラス端面カバー部１６２のスペーサー１４と結合する面と反対側の面と同一面にならなくてもよい。
【００４７】
また、図５に示す保冷ショーケース用ガラスドア１０３において、第１のガラス板１１の少なくとも庫外側の端面をエッジ処理してもよい。第１のガラス板１１の少なくとも庫外側の端面をエッジ処理することで、保冷ショーケース用ガラスドア１０３の庫外側の全面が第１のガラス板１１となる構造であっても、第１のガラス板１１が破損し難くなる。
【００４８】
〔第５の実施形態〕
図６は、本発明の第５の実施形態に係る保冷ショーケース用ガラスドアの一例を示した側断面図である。図６において、保冷ショーケース用ガラスドア１０４は、ガラス端面カバー部１６２の庫外側の少なくとも一部が樹脂部材１８である点で、第１の実施形態に係る保冷ショーケース用ガラスドア１００と異なっている。その他の構成要素については、第１の実施形態に係る保冷ショーケース用ガラスドア１００と同様であるので、対応する構成要素に同一の参照符号を付してその説明を省略する。
【００４９】
樹脂部材１８は、ＰＶＣ（Ｐｏｌｙｖｉｎｙｌ  Ｃｈｌｏｒｉｄｅ），ポリプロピレンやＡＢＳ（Ａｃｒｙｌｏｎｉｔｒｉｌｅ  Ｂｕｔａｄｉｅｎｅ  Ｓｔｙｒｅｎｅ）等の適切な硬質樹脂材料で形成されてもよいし、ゴム材料等で形成されてもよいが、熱伝導性の低い材質であることが好ましい。また、樹脂部材１８は、それぞれ押し出し成形により製造されてもよいが、その他方法で製造されてもよい。
【００５０】
図６に示す保冷ショーケース用ガラスドア１０４において、ガラス端面カバー部１６２の前記ガラス端面カバー部１６２の庫外側端部に樹脂部材１８を備える。ガラス端面カバー部１６２が全て樹脂部材１８で形成されていてもよいし、ガラス端面カバー部１６２の庫外側端部の一部が樹脂部材１８でもよい。全てが金属部材で形成されたガラス端面カバー部１６２の、庫外側端部を樹脂部材１８で被覆してもよい。ガラス端面カバー部１６２の庫外側端部に樹脂部材１８を備えることで、保冷ショーケース用ガラスドア１０４の庫外側端部が破損し難くなる。
【００５１】
なお、樹脂部材１８は、第１のガラス板１１の庫外側の外周面を保護するために、保冷ショーケース用ガラスドアの美観を損なわない程度に、第１のガラス庫外側面の外周面にも設けられていてもよい。
【００５２】
以上、本発明の好ましい実施形態について詳説したが、本発明は上述した実施形態に制限されることはなく、本発明の範囲を逸脱することなく、上述した実施形態に種々の変形、改良及び置換を加えることができる。
【産業上の利用可能性】
【００５３】
本発明に係る保冷ショーケース用ガラスドアは、冷蔵または冷凍食品等を保管するのに使用される保冷ショーケースに好適である。また、本発明は、開き戸だけでなく、引き戸や固定窓等にも適用できることは明らかである。また、本発明は、自動車、鉄道車両、航空機、船舶、または建築物の窓に適用することもできる。
【符号の説明】
【００５４】
１００、１０１、１０２、１０３、１０４、１０５、１０６、２００  保冷ショーケース用複層ガラスドア
１１  第１のガラス板
１２  第２のガラス板
１３  第３のガラス板
１４、１５  スペーサー
１６、２６  ドア框フレーム
１６１  庫内側枠部
１６２  ガラス端面カバー部
１７  発光素子
１８  樹脂部材
２１  フレーム
２２  マグネットガスケット
２３  ガスケット受け面
【図１】
2017142051.tif 000003
【図２】
2017142051.tif 000004
【図３】
2017142051.tif 000005
【図４】
2017142051.tif 000006
【図５】
2017142051.tif 000007
【図６】
2017142051.tif 000008